(57)【要約】【課題】  耐火部材の数量を削減して、コストを低減しつつ、国際安全規格を満たすことができる端子接続構造体を提供すること。【解決手段】  この端子接続構造体は、第１のコネクタ結合体６１と第２のコネクタ結合体６２とを備える。第１のコネクタ結合体６１と第２のコネクタ結合体６２とは、それぞれ、３つの外面の各々に突起部７５を有する。第１のコネクタ結合体６１と第２のコネクタ結合体６２とは、突起部７５を有さない１つの外面６１ａ，６２ａ同士を合わせて、固定されるので、一つのコネクタ結合体では、他の部材が雄端子と雌端子との電気的接続部Ｐから一定の寸法内に進入するのを防ぐことができないが、二つコネクタ結合体を突起部７５のない面６１ａ，６２ａ同士を合わせて合体させることで、他の部材との一定の寸法を確実に確保できる。【選択図】  図６
2005302363.tif 000002
【特許請求の範囲】
【請求項１】
雄端子と雌端子とを内部で接続している断面略矩形の端子接続箱体を備え、
この断面略矩形の端子接続箱体は、４つの外面の各々に突出部を有し、
この４つの外面の各面において、この各面に平行でかつこの各面の上記突出部に接触する４つの仮想面を形成したとき、
この４つの仮想面と、雄端子と雌端子との電気的接続部との間の距離は、一定の寸法以上であることを特徴とする端子接続構造体。
【請求項２】
請求項１に記載の端子接続構造体において、
上記端子接続箱体は、
雄端子を内部に取り付ける断面略矩形の第１のコネクタと、
雌端子を内部に取り付ける断面略矩形の第２のコネクタと、
雄端子を内部に取り付ける断面略矩形の第３のコネクタと、
雌端子を内部に取り付ける断面略矩形の第４のコネクタと
を有し、
上記第１のコネクタと上記第２のコネクタとを接続すると共に雄端子と雌端子とを接続して断面略矩形の第１のコネクタ結合体を形成し、
上記第３のコネクタと上記第４のコネクタとを接続すると共に雄端子と雌端子とを接続して断面略矩形の第２のコネクタ結合体を形成し、
上記第１のコネクタ結合体と上記第２のコネクタ結合体とは、それぞれ、３つの外面の各々に突起部を有し、
上記第１のコネクタ結合体と上記第２のコネクタ結合体とは、上記電気的接続部との間の距離が上記一定の寸法よりも小さくかつ上記突起部を有さない１つの外面同士を合わせて、固定され、
上記端子接続箱体の上記突出部は、上記第１のコネクタ結合体の上記突起部と、上記第２のコネクタ結合体の上記突起部とを含むことを特徴とする端子接続構造体。
【請求項３】
請求項２に記載の端子接続構造体において、
上記第１のコネクタ結合体の上記突起部は、
上記第１のコネクタの外面に設けられた係合部と、
上記第１のコネクタの係合部と係合すると共に上記第２のコネクタの外面に設けられた係合部と
を含み、
上記第２のコネクタ結合体の上記突起部は、
上記第３のコネクタの外面に設けられた係合部と、
上記第３のコネクタの係合部と係合すると共に上記第４のコネクタの外面に設けられた係合部と
を含むことを特徴とする端子接続構造体。
【請求項４】
請求項２に記載の端子接続構造体において、
上記端子接続箱体は、さらに、上記第１のコネクタ結合体と上記第２のコネクタ結合体とを包囲して固定する締め付けバンドを有することを特徴とする端子接続構造体。
【請求項５】
請求項１に記載の端子接続構造体において、
上記端子接続箱体は、
雄端子を内部に取り付ける第１のコネクタと、
雌端子を内部に取り付ける第２のコネクタと、
上記第１のコネクタの雄端子の入力側に取り付けられて雄端子を抜け止めする第１のリテーナと、
上記第２のコネクタの雌端子の入力側に取り付けられて雌端子を抜け止めする第２のリテーナと
を有し、
上記第１のリテーナは、上記第１のコネクタの外面より突出している外鍔部を有し、
上記第２のリテーナは、上記第２のコネクタの外面より突出している外鍔部を有し、
上記第１のコネクタと上記第２のコネクタとを接続すると共に雄端子と雌端子とを接続し、
上記端子接続箱体の上記突出部は、上記第１のリテーナの外鍔部と、上記第２のリテーナの外鍔部とを含むことを特徴とする端子接続構造体。
【請求項６】
請求項１に記載の端子接続構造体を備えることを特徴とする冷蔵庫。
【発明の詳細な説明】
【技術分野】
【０００１】
この発明は、例えば、家庭用電気機器内に設置される端子接続構造体、および、この端子接続構造体を備える冷蔵庫に関する。
【背景技術】
【０００２】
従来の端子接続構造体は、雄端子を内部に取り付ける断面略矩形の第１のコネクタと、雌端子を内部に取り付ける断面略矩形の第２のコネクタとを有し、上記第１のコネクタと上記第２のコネクタとを接続すると共に雄端子と雌端子とを接続して断面略矩形のコネクタ結合体を形成していた（特開平３−３７９７７号公報：特許文献１参照）。
【０００３】
しかしながら、この従来の端子接続構造体では、このコネクタ結合体の４つの外面の内１つの面のみにストッパとしての突起部を有し、他の３つの面に突起部を有していないので、この他の３つの面において、他の部材が、雄端子と雌端子との電気的接続部から一定の寸法内に進入する欠点がある。
【０００４】
このため、例えば、この一定の寸法を、耐火の安全規格寸法とすると、上記他の３つの面において、安全規格寸法を確保することができない。
【０００５】
そこで、従来、図１０に示すように、２つの上記コネクタ結合体１００，１００を、寸法確保のための難燃性クッション材１０１にて包み、この難燃性クッション材１０１を耐火性金属テープ１０２にて覆っていた。
【０００６】
具体的に述べると、国際安全規格IEC60335-1(Safety of household and similar electrical appliances. Part 1:General requirements.家庭用電気機器の安全性 パート1:一般要求)により、0.2A以上の電流が流れる電線接続の上記コネクタ結合体１００にて、十分な耐火構造および電気的接続点からの寸法確保を実施するために、3mmの上記難燃性クッション材１０１と、この難燃性クッション材１０１の周辺にニードルフレーム試験に耐えうる耐火性金属テープ１０２とを必要としていた。
【０００７】
しかしながら、上記従来の端子接続構造体では、国際安全規格を満たすために、上記難燃性クッション材１０１および上記耐火性金属テープ１０２の二つの耐火部材を必要としていたので、部品数が増加して、コスト高であった。
【特許文献１】特開平３−３７９７７号公報
【発明の開示】
【発明が解決しようとする課題】
【０００８】
そこで、この発明の課題は、耐火部材の数量を削減して、コストを低減しつつ、国際安全規格を満たすことができる端子接続構造体を提供することにある。
【課題を解決するための手段】
【０００９】
上記課題を解決するため、この発明の端子接続構造体は、
雄端子と雌端子とを内部で接続している断面略矩形の端子接続箱体を備え、
この断面略矩形の端子接続箱体は、４つの外面の各々に突出部を有し、
この４つの外面の各面において、この各面に平行でかつこの各面の上記突出部に接触する４つの仮想面を形成したとき、
この４つの仮想面と、雄端子と雌端子との電気的接続部との間の距離は、一定の寸法以上であることを特徴としている。
【００１０】
ここで、この明細書では、略矩形とは、長方形や菱形等の四角形を含み、角は、とがっていてもよく、丸くてもよく、または、面取り等されていてもよく、また、辺は、直線であってもよく、または、若干湾曲していてもよい。
【００１１】
この発明の端子接続構造体によれば、上記４つの仮想面と上記電気的接続部との間の距離は、一定の寸法以上であるので、上記突出部によって、他の部材が、上記電気的接続部から一定の寸法内に進入するのを防ぐことができる。このように、他の部材と一定の寸法を確実に確保できると共に、上記端子接続箱体を無駄に厚くする必要がなく、部品数を削減して、コストを低減できる。例えば、上記一定の寸法を、耐火の安全規格寸法（3mm）にすると、簡単な構造にて、この安全規格寸法を確保しつつ、他の耐火部材を不要にできる。
【００１２】
また、一実施形態の端子接続構造体では、上記端子接続箱体は、雄端子を内部に取り付ける断面略矩形の第１のコネクタと、雌端子を内部に取り付ける断面略矩形の第２のコネクタと、雄端子を内部に取り付ける断面略矩形の第３のコネクタと、雌端子を内部に取り付ける断面略矩形の第４のコネクタとを有し、
上記第１のコネクタと上記第２のコネクタとを接続すると共に雄端子と雌端子とを接続して断面略矩形の第１のコネクタ結合体を形成し、
上記第３のコネクタと上記第４のコネクタとを接続すると共に雄端子と雌端子とを接続して断面略矩形の第２のコネクタ結合体を形成し、
上記第１のコネクタ結合体と上記第２のコネクタ結合体とは、それぞれ、３つの外面の各々に突起部を有し、
上記第１のコネクタ結合体と上記第２のコネクタ結合体とは、上記電気的接続部との間の距離が上記一定の寸法よりも小さくかつ上記突起部を有さない１つの外面同士を合わせて、固定され、
上記端子接続箱体の上記突出部は、上記第１のコネクタ結合体の上記突起部と、上記第２のコネクタ結合体の上記突起部とを含む。
【００１３】
この一実施形態の端子接続構造体によれば、上記第１のコネクタ結合体と上記第２のコネクタ結合体とは、上記電気的接続部との間の距離が上記一定の寸法よりも小さくかつ上記突起部を有さない１つの外面同士を合わせて、固定されるので、一つのコネクタ結合体では、他の部材が上記電気的接続部から一定の寸法内に進入するのを防ぐことができないが、二つコネクタ結合体を突起部のない面同士を合わせて合体させることで、他の部材との一定の寸法を確実に確保できる。このように、上記コネクタ結合体の材料を一層削減できて、コストを一層低減できる。また、既存のコネクタを用いることができる。
【００１４】
また、一実施形態の端子接続構造体では、上記第１のコネクタ結合体の上記突起部は、上記第１のコネクタの外面に設けられた係合部と、上記第１のコネクタの係合部と係合すると共に上記第２のコネクタの外面に設けられた係合部とを含み、
上記第２のコネクタ結合体の上記突起部は、上記第３のコネクタの外面に設けられた係合部と、上記第３のコネクタの係合部と係合すると共に上記第４のコネクタの外面に設けられた係合部とを含む。
【００１５】
この一実施形態の端子接続構造体によれば、上記突起部は、上記第１のコネクタの係合部と、上記第１のコネクタの係合部と係合する上記第２のコネクタの係合部と、上記第３のコネクタの係合部と、上記第３のコネクタの係合部と係合する上記第４のコネクタの係合部とを含むので、上記突起部は、他の部材との一定の寸法を確保するスペーサの役割と、上記二つのコネクタを係合するストッパの役割とを兼用する。このように、部品数の減少を図ることができる。
【００１６】
また、一実施形態の端子接続構造体では、上記端子接続箱体は、さらに、上記第１のコネクタ結合体と上記第２のコネクタ結合体とを包囲して固定する締め付けバンドを有する。
【００１７】
この一実施形態の端子接続構造体によれば、上記端子接続箱体は上記締め付けバンドを有するので、上記第１のコネクタ結合体と上記第２のコネクタ結合体とを簡単に固定することができる。また、機械的な固定なので、上記二つのコネクタ結合体を容易に分離できる。
【００１８】
また、一実施形態の端子接続構造体では、上記端子接続箱体は、雄端子を内部に取り付ける第１のコネクタと、雌端子を内部に取り付ける第２のコネクタと、上記第１のコネクタの雄端子の入力側に取り付けられて雄端子を抜け止めする第１のリテーナと、上記第２のコネクタの雌端子の入力側に取り付けられて雌端子を抜け止めする第２のリテーナとを有し、
上記第１のリテーナは、上記第１のコネクタの外面より突出している外鍔部を有し、上記第２のリテーナは、上記第２のコネクタの外面より突出している外鍔部を有し、
上記第１のコネクタと上記第２のコネクタとを接続すると共に雄端子と雌端子とを接続し、
上記端子接続箱体の上記突出部は、上記第１のリテーナの外鍔部と、上記第２のリテーナの外鍔部とを含む。
【００１９】
この一実施形態の端子接続構造体によれば、上記端子接続箱体の上記突出部は、上記第１のリテーナの外鍔部と、上記第２のリテーナの外鍔部とを含むので、上記第１のリテーナの外鍔部および上記第２のリテーナの外鍔部によって、他の部材が、上記電気的接続部から一定の寸法内に進入するのを防ぐことができる。このように、上記リテーナは、他の部材との一定の寸法を確保するスペーサの役割と、上記コネクタから端子が抜けるのを防止するストッパの役割とを兼用して、部品数の減少を図ることができる。また、既存のコネクタを用いることができる。
【００２０】
また、この発明の冷蔵庫は、上記端子接続構造体を備えることを特徴としている。
【００２１】
この発明の冷蔵庫によれば、上記端子接続構造体を備えるので、部品数を削減して、コストを低減できる。例えば、上記端子接続構造体の上記一定の寸法を、耐火の安全規格寸法とすると、上記端子接続構造体は、耐火の安全規格を満たして、安全で安価な冷蔵庫を実現できる。
【発明の効果】
【００２２】
この発明の端子接続構造体によれば、上記４つの仮想面と上記電気的接続部との間の距離は、一定の寸法以上であるので、他の部材と一定の寸法を確実に確保できると共に、上記端子接続箱体を無駄に厚くする必要がなく、部品数を削減して、コストを低減できる。
【００２３】
また、この発明の冷蔵庫によれば、上記端子接続構造体を備えるので、部品数を削減して、コストを低減できる。
【発明を実施するための最良の形態】
【００２４】
以下、この発明を図示の実施の形態により詳細に説明する。
【００２５】
（第１の実施形態）
図１は、この発明の端子接続構造体を適用した冷蔵庫の一実施形態である正面図を示している。図２は、この冷蔵庫の側面断面図を示している。図３は、この冷蔵庫の回路図を示す。
【００２６】
図１と図２に示すように、この冷蔵庫は、冷凍室２および冷蔵室３を有する冷蔵庫本体１と、この冷蔵庫本体１の冷凍室２に取り付けられた冷凍室扉５と、この冷蔵庫本体１の冷蔵室３に取り付けられた冷蔵室扉６とを備える。
【００２７】
上記冷凍室２と上記冷蔵室３とは、仕切り壁４によって区切られている。この仕切り壁４には、上記冷蔵室扉６の開閉により動作するドアスイッチ１３が取り付けられている。
【００２８】
上記冷凍室２の後方奥側には、取付板２２が設けられ、この取付板２２の後面には、冷却循環用のファンモータ(冷却用ファンモータ)８と、このファンモータ８の下方に冷却器９とが、取り付けられている。上記冷却器９の下部には、霜取り用の除霜ヒータ(電気ヒータ)１４が設置されている。
【００２９】
図１、図２および図３に示すように、この除霜ヒータ１４は、除霜タイマー１５の積算時間により、この除霜タイマー１５の接点が切り替わって、冷却回路から除霜回路に通電制御されて、上記除霜ヒータ１４は、発熱を始める。
【００３０】
この除霜ヒータ１４は、温度を上昇して、上記冷却器９の霜と氷を融解させると、上記冷却器９の上部に配置された除霜サーモスタット１６により、温度を検知されて、上記除霜ヒータ１４の発熱を停止する。その後、上記除霜タイマー１５の接点が、再び、除霜回路から冷却回路に切り替わって、通常の冷却運転を始める。
【００３１】
上記冷蔵室３の後方奥側の内面には、カバー部材２３が設けられ、このカバー部材２３の内部に、庫内照明用の庫内灯１１が庫内灯係止器具１０にて設置されている。
【００３２】
上記冷蔵室３の後部背面には、冷媒圧縮用の圧縮機(冷却用圧縮電動機)１２が設置されている。この圧縮機１２は、上記冷凍室２の内部に設置されたサーモスタット７の温度検知によって、このサーモスタット７の電気接点で、ＯＮ／ＯＦＦを断続運転して、庫内を一定温度に保つ。
【００３３】
図３に示すように、この冷蔵庫において、通電制御する電気回路としては、主として冷却回路と除霜回路である。この冷却回路において、上記圧縮機１２の動作電流は、230V定格電圧にて、約1.2Aとなり、上記除霜回路において、上記除霜ヒータ１４の動作電流は、230V定格電圧にて、約0.6Aとなる。なお、上記庫内灯１１は、230V定格電圧にて動作電流は約0.05Aとなって、0.2A未満の電流値であり、規格規定より適用除外となる。
【００３４】
上記冷凍庫内には、除霜ヒータ１４およびサーモスタット７の接続電線が、電源に接続されている。この電線の端子接続には、端子接続箱体（樹脂ハウジングコネクタ）５０が用いられている。
【００３５】
すなわち、上記冷却回路の端子接続箱体５０を介して、本体内部の配線より、サーモスタット７を経由して、電源から上記圧縮機１２までの電気回路が形成され、冷却時には、約1.2Aの電流が流れる。
【００３６】
一方、除霜回路の端子接続箱体５０を介して、本体内部の配線より、上記除霜ヒータ１４を経由して、電源から上記除霜ヒータ１４までの電気回路が形成され、除霜時には、約0.6Aの電流が流れる。なお、制御回路の構成上、上記冷却回路と上記除霜回路とは、同時に、電流が流れない。
【００３７】
上記端子接続箱体５０は、図４、図５および図６に示すように、雄端子と雌端子とを内部で接続している断面略矩形であり、雄端子を内部に取り付ける断面略矩形の第１のコネクタ５１と、雌端子を内部に取り付ける断面略矩形の第２のコネクタ５２と、雄端子を内部に取り付ける断面略矩形の第３のコネクタ５３と、雌端子を内部に取り付ける断面略矩形の第４のコネクタ５４とを有する。なお、図５中、雄端子と雌端子とを区別することなく、端子Ｔとして表現する。
【００３８】
上記第１のコネクタ５１と上記第２のコネクタ５２とを接続すると共に雄端子と雌端子とを接続して断面略矩形の第１のコネクタ結合体６１を形成し、上記第３のコネクタ５３と上記第４のコネクタ５４とを接続すると共に雄端子と雌端子とを接続して断面略矩形の第２のコネクタ結合体６２を形成する。
【００３９】
上記第１のコネクタ結合体６１と上記第２のコネクタ結合体６２とは、それぞれ、３つの外面の各々に突起部７５を有する。
【００４０】
上記第１のコネクタ結合体６１の上記突起部７５は、上記第１のコネクタ５１の外面に設けられた係合部７１と、上記第１のコネクタ５１の係合部７１と係合すると共に上記第２のコネクタ５２の外面に設けられた係合部７２とを含む。
【００４１】
上記第２のコネクタ結合体６２の上記突起部７５は、上記第３のコネクタ５３の外面に設けられた係合部７３と、上記第３のコネクタ５３の係合部７３と係合すると共に上記第４のコネクタ５４の外面に設けられた係合部７４とを含む。
【００４２】
上記第１のコネクタ結合体６１と上記第２のコネクタ結合体６２とは、特に図５に示すように、上記突起部７５を有さない１つの外面（以下、合体外面６１ａ，６２ａという）同士を合わせて、固定される。このとき、上記第１のコネクタ結合体６１と上記第２のコネクタ結合体６２とは、締め付けバンド６３により、包囲して固定される。上記端子接続箱体５０と上記締め付けバンド６３等にて端子接続構造体を構成する。
【００４３】
このように、上記端子接続箱体５０は、特に図６に示すように、４つの外面の各々に突出部７６を有する。上記端子接続箱体５０の上記突出部７６は、上記第１のコネクタ結合体６１の上記突起部７５と、上記第２のコネクタ結合体６２の上記突起部７５とを含む。
【００４４】
そして、上記端子接続箱体５０の４つの外面の各面において、この各面に平行でかつこの各面の突出部７６に接触する４つの仮想面Ｆを形成したとき、この４つの仮想面Ｆと、雄端子と雌端子との電気的接続部Ｐとの間の距離は、一定の寸法以上である。
【００４５】
上記第１のコネクタ結合体６１の上記合体外面６１ａと上記電気的接続部Ｐとの間の距離と、上記第２のコネクタ結合体６２の上記合体外面６２ａと上記電気的接続部Ｐとの間の距離とは、上記一定の寸法よりも小さい。
【００４６】
そして、通常連続通電され「人の注意が行き届かない状態で使用する機器」である家庭用電気機器に関する国際安全規定により、正常動作状態で0.2Aを超える電流が流れる接続部(ハウジングコネクタ)の絶縁物及び電気的接続点から3mm以内の絶縁物は、グローワイヤ燃焼性指数が850℃でかつグローワイヤ着火温度が775℃に適合すればよいということから、上記一定の寸法は、3mmであり、上記端子接続箱体５０（上記コネクタ５１，５２，５３，５４）は、グローワイヤ燃焼性指数が850℃でかつグローワイヤ着火温度が775℃に適合する耐火性樹脂材である。また、上記締め付けバンド６３は、例えば、ポリアミド（ナイロン）である。
【００４７】
なお、上記国際安全規格の導出について、詳説する。
【００４８】
国際安全規格IEC60335-1 30.2項及び付属書O.2により、電気的接続点より3mm以内の樹脂絶縁材料の、連続通電され、「人の注意が行き届かない状態で使用する機器」である、電気冷蔵庫等は、30.2.3項を適用する。
【００４９】
国際安全規格IEC60335-1の30.2.3.1項規定により、正常動作状態で0.2Aを超える電流が流れる接続部の絶縁物及び前記接続部から3mm以内の絶縁物は、IEC60695-2-12規格に基づき、850℃以上のグローワイヤ燃焼性指数(GWFI:grow-wire flammability index)を有する物であること。
【００５０】
国際安全規格IEC60335-1の30.2.3.2項規定により、正常動作状態で0.2Aを超える電流が流れる接続部の絶縁物及び前記接続部から3mm以内の絶縁物は、IEC60695-2-11規格に定めたグローワイヤ(赤熱棒押当て)試験を適用する。
【００５１】
但し、IEC60695-2-13規格に基づき、グローワイヤ着火温度(GWIT:grow-wire igntion temperature)が、下記条件を満たしている場合は、グローワイヤ試験を適用しない。
【００５２】
・正常動作状態のもとで、0.2Aを超える電流が流れる接続部に使用している絶縁物、775℃;
・正常動作状態のもとで、0.2A以下の電流が流れる接続部に使用している絶縁物、675℃;
【００５３】
国際安全規格IEC60335-1の30.2.3.2項規定により、IEC60695-2-11試験規定を満たすが、当該試験を行っている間に、2秒以上持続する炎が発生する絶縁物には、さらに直径が20mmで長さが50mmの垂直シリンダーの筒形状範囲内で接続部の上方に使用している絶縁物に対して、付属書Eに定めたニードルフレーム(針状炎)試験を適用する。
【００５４】
但し、IEC60695-11-10規格に基づく、難燃性区分がV-0またはV-1が判明した場合は、ニードルフレーム(針状炎)試験を適用しない。この難燃性区分は、米国規格(UL94)の難燃性規定(Flammability)のV-0/V-1と同様の基準となる。
【００５５】
上記構成の端子接続構造体によれば、上記４つの仮想面Ｆと上記電気的接続部Ｐとの間の距離は、一定の寸法以上であるので、上記突出部７６によって、他の部材が、上記電気的接続部Ｐから一定の寸法内に進入するのを防ぐことができる。このように、他の部材と一定の寸法を確実に確保できると共に、上記端子接続箱体５０を無駄に厚くする必要がなく、部品数を削減して、コストを低減できる。例えば、上記一定の寸法を、耐火の安全規格寸法（3mm）にすると、簡単な構造にて、この安全規格寸法を確保しつつ、他の耐火部材を不要にできる。
【００５６】
また、上記第１のコネクタ結合体６１と上記第２のコネクタ結合体６２とは、上記合体外面６１ａ，６２ａ同士を合わせて、固定されるので、一つのコネクタ結合体では、他の部材が上記電気的接続部Ｐから一定の寸法内に進入するのを防ぐことができないが、二つコネクタ結合体を上記合体外面６１ａ，６２ａ同士を合わせて合体させることで、他の部材との一定の寸法を確実に確保できる。
【００５７】
また、上記突起部７５は、上記係合部７１，７２，７３，７４を含むので、上記突起部７５は、他の部材との一定の寸法を確保するスペーサの役割と、上記二つのコネクタを係合するストッパの役割とを兼用する。
【００５８】
また、上記端子接続箱体５０は上記締め付けバンド６３を有するので、上記第１のコネクタ結合体６１と上記第２のコネクタ結合体６２とを簡単に固定することができる。
【００５９】
また、上記構成の冷蔵庫によれば、上記端子接続構造体を備えるので、部品数を削減して、コストを低減できる。例えば、上記端子接続構造体の上記一定の寸法を、耐火の安全規格寸法とすると、上記端子接続構造体は、耐火の安全規格を満たして、安全で安価な冷蔵庫を実現できる。
【００６０】
なお、上記端子接続箱体５０の材料に、米国規格(UL94)の難燃性(Flammability)のV-0区分以上を採用し、万一の電気発火時に延焼を防止するようにしてもよい。また、冷蔵庫内に水分が多量に存在する場合があり、上記端子接続箱体５０の材料に、米国規格(UL94)の比較トラッキング指数(CTI:Comparative Tracking Index)の0区分(600V以上)を採用し、万一の水分侵入時の上記端子接続箱体５０の表面層炭化劣化による発火延焼を防止するようにしてもよい。
【００６１】
（第２の実施形態）
図７と図８は、この発明の他の実施形態を示している。この端子接続箱体５０は、雄端子を内部に取り付ける第１のコネクタ８１と、雌端子を内部に取り付ける第２のコネクタ８２と、上記第１のコネクタ８１の雄端子の入力側に取り付けられて雄端子を抜け止めする第１のリテーナ９１と、上記第２のコネクタ８２の雌端子の入力側に取り付けられて雌端子を抜け止めする第２のリテーナ９２とを有する。
【００６２】
上記第１のリテーナ９１は、上記第１のコネクタ８１の外面より突出している外鍔部９１ａと、上記第１のコネクタ８１の内部に挿入される筒部９１ｂとを有する。同様に、上記第２のリテーナ９２は、上記第２のコネクタ８２の外面より突出している外鍔部９２ａと、上記第２のコネクタ８２の内部に挿入される筒部９２ｂとを有する。
【００６３】
ここで、上記第１のリテーナ９１が雄端子を抜け止めする構成としては、例えば、上記筒部９１ｂにて雄端子を弾発的に付勢することで、雄端子を抜け止めするようにしてもよい。また、上記第２のリテーナ９２についても同様とする。
【００６４】
上記第１のコネクタ８１と上記第２のコネクタ８２とを接続すると共に雄端子と雌端子とを接続して断面略矩形のコネクタ結合体８３を形成する。
【００６５】
このように、上記端子接続箱体５０の上記突出部７６は、上記第１のリテーナ９１の外鍔部９１ａと、上記第２のリテーナ９２の外鍔部９２ａとを含む。
【００６６】
そして、上記端子接続箱体５０の４つの外面の各面において、この各面に平行でかつこの各面の突出部７６に接触する４つの仮想面を形成したとき、この４つの仮想面と、上記電気的接続部Ｐとの間の距離は、上記一定の寸法以上である。このとき、この４つの仮想面は、上記突出部７６（上記外鍔部９１ａ，９２ａ）の外周面と一致している。
【００６７】
上記構成の端子接続構造体によれば、上記端子接続箱体５０の上記突出部７６は、上記第１のリテーナ９１の外鍔部９１ａと、上記第２のリテーナ９２の外鍔部９２ａとを含むので、上記第１のリテーナ９１の外鍔部９１ａおよび上記第２のリテーナ９２の外鍔部９２ａによって、他の部材が、上記電気的接続部Ｐから一定の寸法内に進入するのを防ぐことができる。このように、上記リテーナ９１，９２は、他の部材との一定の寸法を確保するスペーサの役割と、上記コネクタ８１，８２から端子が抜けるのを防止するストッパの役割とを兼用して、部品数の減少を図ることができる。また、既存のコネクタを用いることができる。
【００６８】
（第３の実施形態）
図９は、この発明の別の実施形態を示している。この端子接続箱体５０は、雄端子を内部に取り付ける第１のコネクタ８１と、雌端子を内部に取り付ける第２のコネクタ８２と、上記第１のコネクタ８１の雄端子の入力側に取り付けられて雄端子を抜け止めする第１のリテーナ９１と、上記第２のコネクタ８２の雌端子の入力側に取り付けられて雌端子を抜け止めする第２のリテーナ９２とを有する。
【００６９】
上記第１のコネクタ８１は、４つの外面のそれぞれに、上記第１のリテーナ９１の外鍔部９１ａに係止して、上記第１のリテーナ９１が上記第１のコネクタ８１から抜けるのを防止する係止片８１ａを有する。
【００７０】
上記第２のコネクタ８２は、４つの外面のそれぞれに、上記第２のリテーナ９２の外鍔部９２ａに係止して、上記第２のリテーナ９２が上記第２のコネクタ８２から抜けるのを防止する係止片８２ａを有する。
【００７１】
このように、上記端子接続箱体５０の上記突出部７６は、上記第１のコネクタ８１の係止片８１ａと、上記第２のコネクタ８２の係止片８２ａとを含む。
【００７２】
そして、上記端子接続箱体５０の４つの外面の各面において、この各面に平行でかつこの各面の突出部７６に接触する４つの仮想面を形成したとき、この４つの仮想面と、上記電気的接続部Ｐとの間の距離は、上記一定の寸法以上である。
【００７３】
上記構成の端子接続構造体によれば、上記端子接続箱体５０の上記突出部７６は、上記第１のコネクタ８１の係止片８１ａと、上記第２のコネクタ８２の係止片８２ａとを含むので、上記第１のコネクタ８１の係止片８１ａおよび上記第２のコネクタ８２の係止片８２ａによって、他の部材が、上記電気的接続部Ｐから一定の寸法内に進入するのを防ぐことができる。このように、上記係止片８１ａ，８２ａは、他の部材との一定の寸法を確保するスペーサの役割と、上記コネクタ８１，８２から上記リテーナ９１，９２が抜けるのを防止するストッパの役割とを兼用して、部品数の減少を図ることができる。また、既存のリテーナを用いることができる。
【００７４】
なお、この発明は上述の実施形態に限定されず、例えば、上記端子接続箱体は、雄端子を内部に取り付ける断面略矩形の第１のコネクタと、雌端子を内部に取り付ける断面略矩形の第２のコネクタとを有し、上記第１のコネクタと上記第２のコネクタとを接続すると共に雄端子と雌端子とを接続して断面略矩形のコネクタ結合体を形成し、この断面略矩形のコネクタ結合体は、４つの外面の各々に突起部を有し、上記端子接続箱体の上記突出部は、上記コネクタ結合体の突起部を含むようにしてもよい。また、上記接続箱体５０の上記突出部７６は、上記コネクタの外面に設けられた、上記締め付けバンド６３を挿通して保持するための枠部であってもよい。また、上記接続箱体５０の上記突出部７６は、上記コネクタの外面に嵌め込まれた筒部材等のスペーサであってもよい。また、上記端子接続構造体は、 電子レンジ、エアコン、洗濯機、除湿機および空気清浄機等の家庭用電気機器についても、同様に適用可能となる。
【図面の簡単な説明】
【００７５】
【図１】本発明の冷蔵庫の一実施形態を示す正面図である。
【図２】冷蔵庫の側面断面図である。
【図３】冷蔵庫の回路図である。
【図４】本発明の端子接続構造体の正面図である。
【図５】端子接続構造体の分解状態を示す側面断面図である。
【図６】端子接続構造体の作用説明図である。
【図７】他の端子接続構造体の正面図である。
【図８】他の端子接続構造体の作用説明図である。
【図９】別の端子接続構造体の正面図である。
【図１０】従来の端子接続構造体を示す断面図である。
【符号の説明】
【００７６】
５０  端子接続箱体
５１  第１のコネクタ
５２  第２のコネクタ
５３  第３のコネクタ
５４  第４のコネクタ
６１  第１のコネクタ結合体
６２  第２のコネクタ結合体
６３  締め付けバンド
７１，７２，７３，７４  係合部
７５  突起部
７６  突出部
８１  第１のコネクタ
８２  第２のコネクタ
９１  第１のリテーナ
９１ａ  外鍔部
９２  第２のリテーナ
９２ａ  外鍔部
Ｆ    仮想面
Ｐ    電気的接続部
Ｔ    端子
【図１】
2005302363.tif 000003
【図２】
2005302363.tif 000004
【図３】
2005302363.tif 000005
【図４】
2005302363.tif 000006
【図５】
2005302363.tif 000007
【図６】
2005302363.tif 000008
【図７】
2005302363.tif 000009
【図８】
2005302363.tif 000010
【図９】
2005302363.tif 000011
【図１０】
2005302363.tif 000012
【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
雄端子と雌端子とを内部で接続している断面略矩形の端子接続箱体を備え、
この断面略矩形の端子接続箱体は、４つの外面の各々に突出部を有し、
この４つの外面の各面において、この各面に平行でかつこの各面の上記突出部に接触する４つの仮想面を形成したとき、
この４つの仮想面と、雄端子と雌端子との電気的接続部との間の距離は、３ｍｍ以上であり、
上記端子接続箱体は、
雄端子を内部に取り付ける断面略矩形の第１のコネクタと、
雌端子を内部に取り付ける断面略矩形の第２のコネクタと、
雄端子を内部に取り付ける断面略矩形の第３のコネクタと、
雌端子を内部に取り付ける断面略矩形の第４のコネクタと
を有し、
上記第１のコネクタと上記第２のコネクタとを接続すると共に雄端子と雌端子とを接続して断面略矩形の第１のコネクタ結合体を形成し、
上記第３のコネクタと上記第４のコネクタとを接続すると共に雄端子と雌端子とを接続して断面略矩形の第２のコネクタ結合体を形成し、
上記第１のコネクタ結合体と上記第２のコネクタ結合体とは、それぞれ、３つの外面の各々に突起部を有し、
上記第１のコネクタ結合体と上記第２のコネクタ結合体とは、上記電気的接続部との間の距離が３ｍｍよりも小さくかつ上記突起部を有さない１つの外面同士を合わせて、固定され、
上記端子接続箱体の上記突出部は、上記第１のコネクタ結合体の上記突起部と、上記第２のコネクタ結合体の上記突起部とを含むことを特徴とする端子接続構造体。
【請求項２】
請求項１に記載の端子接続構造体において、
上記第１のコネクタ結合体の上記突起部は、
上記第１のコネクタの外面に設けられた係合部と、
上記第１のコネクタの係合部と係合すると共に上記第２のコネクタの外面に設けられた係合部と
を含み、
上記第２のコネクタ結合体の上記突起部は、
上記第３のコネクタの外面に設けられた係合部と、
上記第３のコネクタの係合部と係合すると共に上記第４のコネクタの外面に設けられた係合部と
を含むことを特徴とする端子接続構造体。
【請求項３】
請求項１に記載の端子接続構造体において、
上記端子接続箱体は、さらに、上記第１のコネクタ結合体と上記第２のコネクタ結合体とを包囲して固定する締め付けバンドを有することを特徴とする端子接続構造体。
【請求項４】
請求項１に記載の端子接続構造体を備えることを特徴とする冷蔵庫。
【手続補正２】
【補正対象書類名】明細書
【補正対象項目名】全文
【補正方法】変更
【補正の内容】
【発明の詳細な説明】
【技術分野】
【０００１】
この発明は、例えば、家庭用電気機器内に設置される端子接続構造体、および、この端子接続構造体を備える冷蔵庫に関する。
【背景技術】
【０００２】
従来の端子接続構造体は、雄端子を内部に取り付ける断面略矩形の第１のコネクタと、雌端子を内部に取り付ける断面略矩形の第２のコネクタとを有し、上記第１のコネクタと上記第２のコネクタとを接続すると共に雄端子と雌端子とを接続して断面略矩形のコネクタ結合体を形成していた（特開平３−３７９７７号公報：特許文献１参照）。
【０００３】
しかしながら、この従来の端子接続構造体では、このコネクタ結合体の４つの外面の内１つの面のみにストッパとしての突起部を有し、他の３つの面に突起部を有していないので、この他の３つの面において、他の部材が、雄端子と雌端子との電気的接続部から一定の寸法内に進入する欠点がある。
【０００４】
このため、例えば、この一定の寸法を、耐火の安全規格寸法とすると、上記他の３つの面において、安全規格寸法を確保することができない。
【０００５】
そこで、従来、図１０に示すように、２つの上記コネクタ結合体１００，１００を、寸法確保のための難燃性クッション材１０１にて包み、この難燃性クッション材１０１を耐火性金属テープ１０２にて覆っていた。
【０００６】
具体的に述べると、国際安全規格IEC60335-1(Safety of household and similar electrical appliances. Part 1:General requirements.家庭用電気機器の安全性 パート1:一般要求)により、0.2A以上の電流が流れる電線接続の上記コネクタ結合体１００にて、十分な耐火構造および電気的接続点からの寸法確保を実施するために、3mmの上記難燃性クッション材１０１と、この難燃性クッション材１０１の周辺にニードルフレーム試験に耐えうる耐火性金属テープ１０２とを必要としていた。
【０００７】
しかしながら、上記従来の端子接続構造体では、国際安全規格を満たすために、上記難燃性クッション材１０１および上記耐火性金属テープ１０２の二つの耐火部材を必要としていたので、部品数が増加して、コスト高であった。
【特許文献１】特開平３−３７９７７号公報
【発明の開示】
【発明が解決しようとする課題】
【０００８】
そこで、この発明の課題は、耐火部材の数量を削減して、コストを低減しつつ、国際安全規格を満たすことができる端子接続構造体を提供することにある。
【課題を解決するための手段】
【０００９】
上記課題を解決するため、この発明の端子接続構造体は、
雄端子と雌端子とを内部で接続している断面略矩形の端子接続箱体を備え、
この断面略矩形の端子接続箱体は、４つの外面の各々に突出部を有し、
この４つの外面の各面において、この各面に平行でかつこの各面の上記突出部に接触する４つの仮想面を形成したとき、
この４つの仮想面と、雄端子と雌端子との電気的接続部との間の距離は、３ｍｍ以上であり、
上記端子接続箱体は、
雄端子を内部に取り付ける断面略矩形の第１のコネクタと、
雌端子を内部に取り付ける断面略矩形の第２のコネクタと、
雄端子を内部に取り付ける断面略矩形の第３のコネクタと、
雌端子を内部に取り付ける断面略矩形の第４のコネクタと
を有し、
上記第１のコネクタと上記第２のコネクタとを接続すると共に雄端子と雌端子とを接続して断面略矩形の第１のコネクタ結合体を形成し、
上記第３のコネクタと上記第４のコネクタとを接続すると共に雄端子と雌端子とを接続して断面略矩形の第２のコネクタ結合体を形成し、
上記第１のコネクタ結合体と上記第２のコネクタ結合体とは、それぞれ、３つの外面の各々に突起部を有し、
上記第１のコネクタ結合体と上記第２のコネクタ結合体とは、上記電気的接続部との間の距離が３ｍｍよりも小さくかつ上記突起部を有さない１つの外面同士を合わせて、固定され、
上記端子接続箱体の上記突出部は、上記第１のコネクタ結合体の上記突起部と、上記第２のコネクタ結合体の上記突起部とを含むことを特徴としている。
【００１０】
ここで、この明細書では、略矩形とは、長方形や菱形等の四角形を含み、角は、とがっていてもよく、丸くてもよく、または、面取り等されていてもよく、また、辺は、直線であってもよく、または、若干湾曲していてもよい。
【００１１】
この発明の端子接続構造体によれば、上記４つの仮想面と上記電気的接続部との間の距離は、３ｍｍ以上であるので、上記突出部によって、他の部材が、上記電気的接続部から３ｍｍ内に進入するのを防ぐことができる。このように、他の部材と３ｍｍを確実に確保できると共に、上記端子接続箱体を無駄に厚くする必要がなく、部品数を削減して、コストを低減できる。また、簡単な構造にて、耐火の安全規格寸法（３ｍｍ）を確保しつつ、他の耐火部材を不要にできる。
【００１２】
また、上記第１のコネクタ結合体と上記第２のコネクタ結合体とは、上記電気的接続部との間の距離が３ｍｍよりも小さくかつ上記突起部を有さない１つの外面同士を合わせて、固定されるので、一つのコネクタ結合体では、他の部材が上記電気的接続部から３ｍｍ内に進入するのを防ぐことができないが、二つコネクタ結合体を突起部のない面同士を合わせて合体させることで、他の部材との３ｍｍを確実に確保できる。このように、上記コネクタ結合体の材料を一層削減できて、コストを一層低減できる。また、既存のコネクタを用いることができる。
【００１３】
また、一実施形態の端子接続構造体では、上記第１のコネクタ結合体の上記突起部は、上記第１のコネクタの外面に設けられた係合部と、上記第１のコネクタの係合部と係合すると共に上記第２のコネクタの外面に設けられた係合部とを含み、
上記第２のコネクタ結合体の上記突起部は、上記第３のコネクタの外面に設けられた係合部と、上記第３のコネクタの係合部と係合すると共に上記第４のコネクタの外面に設けられた係合部とを含む。
【００１４】
この一実施形態の端子接続構造体によれば、上記突起部は、上記第１のコネクタの係合部と、上記第１のコネクタの係合部と係合する上記第２のコネクタの係合部と、上記第３のコネクタの係合部と、上記第３のコネクタの係合部と係合する上記第４のコネクタの係合部とを含むので、上記突起部は、他の部材との３ｍｍを確保するスペーサの役割と、上記二つのコネクタを係合するストッパの役割とを兼用する。このように、部品数の減少を図ることができる。
【００１５】
また、一実施形態の端子接続構造体では、上記端子接続箱体は、さらに、上記第１のコネクタ結合体と上記第２のコネクタ結合体とを包囲して固定する締め付けバンドを有する。
【００１６】
この一実施形態の端子接続構造体によれば、上記端子接続箱体は上記締め付けバンドを有するので、上記第１のコネクタ結合体と上記第２のコネクタ結合体とを簡単に固定することができる。また、機械的な固定なので、上記二つのコネクタ結合体を容易に分離できる。
【００１７】
また、この発明の冷蔵庫は、上記端子接続構造体を備えることを特徴としている。
【００１８】
この発明の冷蔵庫によれば、上記端子接続構造体を備えるので、部品数を削減して、コストを低減できる。また、上記端子接続構造体は、耐火の安全規格（３ｍｍ）を満たして、安全で安価な冷蔵庫を実現できる。
【発明の効果】
【００１９】
この発明の端子接続構造体によれば、上記４つの仮想面と上記電気的接続部との間の距離は、３ｍｍ以上であるので、他の部材と３ｍｍを確実に確保できると共に、上記端子接続箱体を無駄に厚くする必要がなく、部品数を削減して、コストを低減できる。
【００２０】
また、この発明の冷蔵庫によれば、上記端子接続構造体を備えるので、部品数を削減して、コストを低減できる。
【発明を実施するための最良の形態】
【００２１】
以下、この発明を図示の実施の形態により詳細に説明する。
【００２２】
（第１の実施形態）
図１は、この発明の端子接続構造体を適用した冷蔵庫の一実施形態である正面図を示している。図２は、この冷蔵庫の側面断面図を示している。図３は、この冷蔵庫の回路図を示す。
【００２３】
図１と図２に示すように、この冷蔵庫は、冷凍室２および冷蔵室３を有する冷蔵庫本体１と、この冷蔵庫本体１の冷凍室２に取り付けられた冷凍室扉５と、この冷蔵庫本体１の冷蔵室３に取り付けられた冷蔵室扉６とを備える。
【００２４】
上記冷凍室２と上記冷蔵室３とは、仕切り壁４によって区切られている。この仕切り壁４には、上記冷蔵室扉６の開閉により動作するドアスイッチ１３が取り付けられている。
【００２５】
上記冷凍室２の後方奥側には、取付板２２が設けられ、この取付板２２の後面には、冷却循環用のファンモータ(冷却用ファンモータ)８と、このファンモータ８の下方に冷却器９とが、取り付けられている。上記冷却器９の下部には、霜取り用の除霜ヒータ(電気ヒータ)１４が設置されている。
【００２６】
図１、図２および図３に示すように、この除霜ヒータ１４は、除霜タイマー１５の積算時間により、この除霜タイマー１５の接点が切り替わって、冷却回路から除霜回路に通電制御されて、上記除霜ヒータ１４は、発熱を始める。
【００２７】
この除霜ヒータ１４は、温度を上昇して、上記冷却器９の霜と氷を融解させると、上記冷却器９の上部に配置された除霜サーモスタット１６により、温度を検知されて、上記除霜ヒータ１４の発熱を停止する。その後、上記除霜タイマー１５の接点が、再び、除霜回路から冷却回路に切り替わって、通常の冷却運転を始める。
【００２８】
上記冷蔵室３の後方奥側の内面には、カバー部材２３が設けられ、このカバー部材２３の内部に、庫内照明用の庫内灯１１が庫内灯係止器具１０にて設置されている。
【００２９】
上記冷蔵室３の後部背面には、冷媒圧縮用の圧縮機(冷却用圧縮電動機)１２が設置されている。この圧縮機１２は、上記冷凍室２の内部に設置されたサーモスタット７の温度検知によって、このサーモスタット７の電気接点で、ＯＮ／ＯＦＦを断続運転して、庫内を一定温度に保つ。
【００３０】
図３に示すように、この冷蔵庫において、通電制御する電気回路としては、主として冷却回路と除霜回路である。この冷却回路において、上記圧縮機１２の動作電流は、230V定格電圧にて、約1.2Aとなり、上記除霜回路において、上記除霜ヒータ１４の動作電流は、230V定格電圧にて、約0.6Aとなる。なお、上記庫内灯１１は、230V定格電圧にて動作電流は約0.05Aとなって、0.2A未満の電流値であり、規格規定より適用除外となる。
【００３１】
上記冷凍庫内には、除霜ヒータ１４およびサーモスタット７の接続電線が、電源に接続されている。この電線の端子接続には、端子接続箱体（樹脂ハウジングコネクタ）５０が用いられている。
【００３２】
すなわち、上記冷却回路の端子接続箱体５０を介して、本体内部の配線より、サーモスタット７を経由して、電源から上記圧縮機１２までの電気回路が形成され、冷却時には、約1.2Aの電流が流れる。
【００３３】
一方、除霜回路の端子接続箱体５０を介して、本体内部の配線より、上記除霜ヒータ１４を経由して、電源から上記除霜ヒータ１４までの電気回路が形成され、除霜時には、約0.6Aの電流が流れる。なお、制御回路の構成上、上記冷却回路と上記除霜回路とは、同時に、電流が流れない。
【００３４】
上記端子接続箱体５０は、図４、図５および図６に示すように、雄端子と雌端子とを内部で接続している断面略矩形であり、雄端子を内部に取り付ける断面略矩形の第１のコネクタ５１と、雌端子を内部に取り付ける断面略矩形の第２のコネクタ５２と、雄端子を内部に取り付ける断面略矩形の第３のコネクタ５３と、雌端子を内部に取り付ける断面略矩形の第４のコネクタ５４とを有する。なお、図５中、雄端子と雌端子とを区別することなく、端子Ｔとして表現する。
【００３５】
上記第１のコネクタ５１と上記第２のコネクタ５２とを接続すると共に雄端子と雌端子とを接続して断面略矩形の第１のコネクタ結合体６１を形成し、上記第３のコネクタ５３と上記第４のコネクタ５４とを接続すると共に雄端子と雌端子とを接続して断面略矩形の第２のコネクタ結合体６２を形成する。
【００３６】
上記第１のコネクタ結合体６１と上記第２のコネクタ結合体６２とは、それぞれ、３つの外面の各々に突起部７５を有する。
【００３７】
上記第１のコネクタ結合体６１の上記突起部７５は、上記第１のコネクタ５１の外面に設けられた係合部７１と、上記第１のコネクタ５１の係合部７１と係合すると共に上記第２のコネクタ５２の外面に設けられた係合部７２とを含む。
【００３８】
上記第２のコネクタ結合体６２の上記突起部７５は、上記第３のコネクタ５３の外面に設けられた係合部７３と、上記第３のコネクタ５３の係合部７３と係合すると共に上記第４のコネクタ５４の外面に設けられた係合部７４とを含む。
【００３９】
上記第１のコネクタ結合体６１と上記第２のコネクタ結合体６２とは、特に図５に示すように、上記突起部７５を有さない１つの外面（以下、合体外面６１ａ，６２ａという）同士を合わせて、固定される。このとき、上記第１のコネクタ結合体６１と上記第２のコネクタ結合体６２とは、締め付けバンド６３により、包囲して固定される。上記端子接続箱体５０と上記締め付けバンド６３等にて端子接続構造体を構成する。
【００４０】
このように、上記端子接続箱体５０は、特に図６に示すように、４つの外面の各々に突出部７６を有する。上記端子接続箱体５０の上記突出部７６は、上記第１のコネクタ結合体６１の上記突起部７５と、上記第２のコネクタ結合体６２の上記突起部７５とを含む。
【００４１】
そして、上記端子接続箱体５０の４つの外面の各面において、この各面に平行でかつこの各面の突出部７６に接触する４つの仮想面Ｆを形成したとき、この４つの仮想面Ｆと、雄端子と雌端子との電気的接続部Ｐとの間の距離は、一定の寸法以上である。
【００４２】
上記第１のコネクタ結合体６１の上記合体外面６１ａと上記電気的接続部Ｐとの間の距離と、上記第２のコネクタ結合体６２の上記合体外面６２ａと上記電気的接続部Ｐとの間の距離とは、上記一定の寸法よりも小さい。
【００４３】
そして、通常連続通電され「人の注意が行き届かない状態で使用する機器」である家庭用電気機器に関する国際安全規定により、正常動作状態で0.2Aを超える電流が流れる接続部(ハウジングコネクタ)の絶縁物及び電気的接続点から3mm以内の絶縁物は、グローワイヤ燃焼性指数が850℃でかつグローワイヤ着火温度が775℃に適合すればよいということから、上記一定の寸法は、3mmであり、上記端子接続箱体５０（上記コネクタ５１，５２，５３，５４）は、グローワイヤ燃焼性指数が850℃でかつグローワイヤ着火温度が775℃に適合する耐火性樹脂材である。また、上記締め付けバンド６３は、例えば、ポリアミド（ナイロン）である。
【００４４】
なお、上記国際安全規格の導出について、詳説する。
【００４５】
国際安全規格IEC60335-1 30.2項及び付属書O.2により、電気的接続点より3mm以内の樹脂絶縁材料の、連続通電され、「人の注意が行き届かない状態で使用する機器」である、電気冷蔵庫等は、30.2.3項を適用する。
【００４６】
国際安全規格IEC60335-1の30.2.3.1項規定により、正常動作状態で0.2Aを超える電流が流れる接続部の絶縁物及び前記接続部から3mm以内の絶縁物は、IEC60695-2-12規格に基づき、850℃以上のグローワイヤ燃焼性指数(GWFI:grow-wire flammability index)を有する物であること。
【００４７】
国際安全規格IEC60335-1の30.2.3.2項規定により、正常動作状態で0.2Aを超える電流が流れる接続部の絶縁物及び前記接続部から3mm以内の絶縁物は、IEC60695-2-11規格に定めたグローワイヤ(赤熱棒押当て)試験を適用する。
【００４８】
但し、IEC60695-2-13規格に基づき、グローワイヤ着火温度(GWIT:grow-wire igntion temperature)が、下記条件を満たしている場合は、グローワイヤ試験を適用しない。
【００４９】
・正常動作状態のもとで、0.2Aを超える電流が流れる接続部に使用している絶縁物、775℃;
・正常動作状態のもとで、0.2A以下の電流が流れる接続部に使用している絶縁物、675℃;
【００５０】
国際安全規格IEC60335-1の30.2.3.2項規定により、IEC60695-2-11試験規定を満たすが、当該試験を行っている間に、2秒以上持続する炎が発生する絶縁物には、さらに直径が20mmで長さが50mmの垂直シリンダーの筒形状範囲内で接続部の上方に使用している絶縁物に対して、付属書Eに定めたニードルフレーム(針状炎)試験を適用する。
【００５１】
但し、IEC60695-11-10規格に基づく、難燃性区分がV-0またはV-1が判明した場合は、ニードルフレーム(針状炎)試験を適用しない。この難燃性区分は、米国規格(UL94)の難燃性規定(Flammability)のV-0/V-1と同様の基準となる。
【００５２】
上記構成の端子接続構造体によれば、上記４つの仮想面Ｆと上記電気的接続部Ｐとの間の距離は、一定の寸法以上であるので、上記突出部７６によって、他の部材が、上記電気的接続部Ｐから一定の寸法内に進入するのを防ぐことができる。このように、他の部材と一定の寸法を確実に確保できると共に、上記端子接続箱体５０を無駄に厚くする必要がなく、部品数を削減して、コストを低減できる。例えば、上記一定の寸法を、耐火の安全規格寸法（3mm）にすると、簡単な構造にて、この安全規格寸法を確保しつつ、他の耐火部材を不要にできる。
【００５３】
また、上記第１のコネクタ結合体６１と上記第２のコネクタ結合体６２とは、上記合体外面６１ａ，６２ａ同士を合わせて、固定されるので、一つのコネクタ結合体では、他の部材が上記電気的接続部Ｐから一定の寸法内に進入するのを防ぐことができないが、二つコネクタ結合体を上記合体外面６１ａ，６２ａ同士を合わせて合体させることで、他の部材との一定の寸法を確実に確保できる。
【００５４】
また、上記突起部７５は、上記係合部７１，７２，７３，７４を含むので、上記突起部７５は、他の部材との一定の寸法を確保するスペーサの役割と、上記二つのコネクタを係合するストッパの役割とを兼用する。
【００５５】
また、上記端子接続箱体５０は上記締め付けバンド６３を有するので、上記第１のコネクタ結合体６１と上記第２のコネクタ結合体６２とを簡単に固定することができる。
【００５６】
また、上記構成の冷蔵庫によれば、上記端子接続構造体を備えるので、部品数を削減して、コストを低減できる。例えば、上記端子接続構造体の上記一定の寸法を、耐火の安全規格寸法とすると、上記端子接続構造体は、耐火の安全規格を満たして、安全で安価な冷蔵庫を実現できる。
【００５７】
なお、上記端子接続箱体５０の材料に、米国規格(UL94)の難燃性(Flammability)のV-0区分以上を採用し、万一の電気発火時に延焼を防止するようにしてもよい。また、冷蔵庫内に水分が多量に存在する場合があり、上記端子接続箱体５０の材料に、米国規格(UL94)の比較トラッキング指数(CTI:Comparative Tracking Index)の0区分(600V以上)を採用し、万一の水分侵入時の上記端子接続箱体５０の表面層炭化劣化による発火延焼を防止するようにしてもよい。
【００５８】
（第１の参考例）
図７と図８は、この発明の第１の参考例を示している。この端子接続箱体５０は、雄端子を内部に取り付ける第１のコネクタ８１と、雌端子を内部に取り付ける第２のコネクタ８２と、上記第１のコネクタ８１の雄端子の入力側に取り付けられて雄端子を抜け止めする第１のリテーナ９１と、上記第２のコネクタ８２の雌端子の入力側に取り付けられて雌端子を抜け止めする第２のリテーナ９２とを有する。
【００５９】
上記第１のリテーナ９１は、上記第１のコネクタ８１の外面より突出している外鍔部９１ａと、上記第１のコネクタ８１の内部に挿入される筒部９１ｂとを有する。同様に、上記第２のリテーナ９２は、上記第２のコネクタ８２の外面より突出している外鍔部９２ａと、上記第２のコネクタ８２の内部に挿入される筒部９２ｂとを有する。
【００６０】
ここで、上記第１のリテーナ９１が雄端子を抜け止めする構成としては、例えば、上記筒部９１ｂにて雄端子を弾発的に付勢することで、雄端子を抜け止めするようにしてもよい。また、上記第２のリテーナ９２についても同様とする。
【００６１】
上記第１のコネクタ８１と上記第２のコネクタ８２とを接続すると共に雄端子と雌端子とを接続して断面略矩形のコネクタ結合体８３を形成する。
【００６２】
このように、上記端子接続箱体５０の上記突出部７６は、上記第１のリテーナ９１の外鍔部９１ａと、上記第２のリテーナ９２の外鍔部９２ａとを含む。
【００６３】
そして、上記端子接続箱体５０の４つの外面の各面において、この各面に平行でかつこの各面の突出部７６に接触する４つの仮想面を形成したとき、この４つの仮想面と、上記電気的接続部Ｐとの間の距離は、上記一定の寸法以上である。このとき、この４つの仮想面は、上記突出部７６（上記外鍔部９１ａ，９２ａ）の外周面と一致している。
【００６４】
上記構成の端子接続構造体によれば、上記端子接続箱体５０の上記突出部７６は、上記第１のリテーナ９１の外鍔部９１ａと、上記第２のリテーナ９２の外鍔部９２ａとを含むので、上記第１のリテーナ９１の外鍔部９１ａおよび上記第２のリテーナ９２の外鍔部９２ａによって、他の部材が、上記電気的接続部Ｐから一定の寸法内に進入するのを防ぐことができる。このように、上記リテーナ９１，９２は、他の部材との一定の寸法を確保するスペーサの役割と、上記コネクタ８１，８２から端子が抜けるのを防止するストッパの役割とを兼用して、部品数の減少を図ることができる。また、既存のコネクタを用いることができる。
【００６５】
（第２の参考例）
図９は、この発明の第２の参考例を示している。この端子接続箱体５０は、雄端子を内部に取り付ける第１のコネクタ８１と、雌端子を内部に取り付ける第２のコネクタ８２と、上記第１のコネクタ８１の雄端子の入力側に取り付けられて雄端子を抜け止めする第１のリテーナ９１と、上記第２のコネクタ８２の雌端子の入力側に取り付けられて雌端子を抜け止めする第２のリテーナ９２とを有する。
【００６６】
上記第１のコネクタ８１は、４つの外面のそれぞれに、上記第１のリテーナ９１の外鍔部９１ａに係止して、上記第１のリテーナ９１が上記第１のコネクタ８１から抜けるのを防止する係止片８１ａを有する。
【００６７】
上記第２のコネクタ８２は、４つの外面のそれぞれに、上記第２のリテーナ９２の外鍔部９２ａに係止して、上記第２のリテーナ９２が上記第２のコネクタ８２から抜けるのを防止する係止片８２ａを有する。
【００６８】
このように、上記端子接続箱体５０の上記突出部７６は、上記第１のコネクタ８１の係止片８１ａと、上記第２のコネクタ８２の係止片８２ａとを含む。
【００６９】
そして、上記端子接続箱体５０の４つの外面の各面において、この各面に平行でかつこの各面の突出部７６に接触する４つの仮想面を形成したとき、この４つの仮想面と、上記電気的接続部Ｐとの間の距離は、上記一定の寸法以上である。
【００７０】
上記構成の端子接続構造体によれば、上記端子接続箱体５０の上記突出部７６は、上記第１のコネクタ８１の係止片８１ａと、上記第２のコネクタ８２の係止片８２ａとを含むので、上記第１のコネクタ８１の係止片８１ａおよび上記第２のコネクタ８２の係止片８２ａによって、他の部材が、上記電気的接続部Ｐから一定の寸法内に進入するのを防ぐことができる。このように、上記係止片８１ａ，８２ａは、他の部材との一定の寸法を確保するスペーサの役割と、上記コネクタ８１，８２から上記リテーナ９１，９２が抜けるのを防止するストッパの役割とを兼用して、部品数の減少を図ることができる。また、既存のリテーナを用いることができる。
【００７１】
なお、この発明は上述の実施形態に限定されず、例えば、上記端子接続箱体は、雄端子を内部に取り付ける断面略矩形の第１のコネクタと、雌端子を内部に取り付ける断面略矩形の第２のコネクタとを有し、上記第１のコネクタと上記第２のコネクタとを接続すると共に雄端子と雌端子とを接続して断面略矩形のコネクタ結合体を形成し、この断面略矩形のコネクタ結合体は、４つの外面の各々に突起部を有し、上記端子接続箱体の上記突出部は、上記コネクタ結合体の突起部を含むようにしてもよい。また、上記接続箱体５０の上記突出部７６は、上記コネクタの外面に設けられた、上記締め付けバンド６３を挿通して保持するための枠部であってもよい。また、上記接続箱体５０の上記突出部７６は、上記コネクタの外面に嵌め込まれた筒部材等のスペーサであってもよい。また、上記端子接続構造体は、 電子レンジ、エアコン、洗濯機、除湿機および空気清浄機等の家庭用電気機器についても、同様に適用可能となる。
【図面の簡単な説明】
【００７２】
【図１】本発明の冷蔵庫の一実施形態を示す正面図である。
【図２】冷蔵庫の側面断面図である。
【図３】冷蔵庫の回路図である。
【図４】本発明の端子接続構造体の正面図である。
【図５】端子接続構造体の分解状態を示す側面断面図である。
【図６】端子接続構造体の作用説明図である。
【図７】他の端子接続構造体の正面図である。
【図８】他の端子接続構造体の作用説明図である。
【図９】別の端子接続構造体の正面図である。
【図１０】従来の端子接続構造体を示す断面図である。
【符号の説明】
【００７３】
５０  端子接続箱体
５１  第１のコネクタ
５２  第２のコネクタ
５３  第３のコネクタ
５４  第４のコネクタ
６１  第１のコネクタ結合体
６２  第２のコネクタ結合体
６３  締め付けバンド
７１，７２，７３，７４  係合部
７５  突起部
７６  突出部
８１  第１のコネクタ
８２  第２のコネクタ
９１  第１のリテーナ
９１ａ  外鍔部
９２  第２のリテーナ
９２ａ  外鍔部
Ｆ    仮想面
Ｐ    電気的接続部
Ｔ    端子